(57)【要約】      （修正有）【課題】ステープルの補充のためにカートリッジの着脱操作を容易行うことが可能な電動ステープラーを提供する。【技術手段】一端側に打出通路８が形成されたカートリッジ７が着脱可能に装着されるとともにステープルを打出通路８から打ち出すドライバユニット３と、綴じ用紙を貫通したステープル脚を折り曲げるクリンチャ機構１２を備えたクリンチャユニット４とを分離して形成し、綴じ用紙を搬送する搬送路１５を挟んでドライバユニット３の打出通路８とクリンチャユニット４のクリンチャ機構１２とを対向して配置させるとともに、ドライバユニット３へのカートリッジ装着方向とクリンチャユニット４のクリンチャ機構１２を駆動する駆動機構６とをステープルの打出通路を含む平面に対し互いに反対方向に向けて設置させた。【選択図】      図３
2004306294.tif 000002
【特許請求の範囲】
【請求項１】
多数のステープルを収容するカートリッジが着脱可能に装着されるとともにカートリッジ内のステープルをカートリッジの先端に形成された打出通路に向けて供給し打出通路に供給されたステープルを綴じ用紙に向けて打ち出すようにしたドライバユニットと、綴じ用紙を貫通したステープルの脚部を綴じ用紙に沿って折り曲げるクリンチャ機構と該クリンチャ機構を駆動させる駆動機構を備えたクリンチャユニットとを分離して形成し、綴じ用紙を搬送する搬送路を挟んでドライバユニットの打出通路とクリンチャユニットのクリンチャ機構とを対向して配置させるとともに、ドライバユニットのカートリッジ装着方向とクリンチャユニットの駆動機構部とをステープルの打出通路を含む平面に対し互いに反対方向に向けて設置させたことを特徴とする電動ステープラー。
【発明の詳細な説明】
【０００１】
【発明の属する技術分野】
この発明は、カートリッジに収容されたステープルを綴じ用紙に向けて打ち出すドライバユニットと、綴じ用紙を貫通したステープルの脚を綴じ用紙の裏面に沿って折り曲げるクリンチャユニットとが分離して形成されるとともに、両ユニットを綴じ用紙の搬送路を挟んで配置された電動ステープラーに関する。
【０００２】
【従来の技術】
例えばコピー機や印刷機等によってコピーや印刷された複数枚の綴じ用紙を綴じ合わせするため、コピー機や印刷機又はソーター等のシート後処理装置内に内蔵されてコピーや印刷された用紙を自動的に綴じ合わせするようにした電動ステープラーが従来から知られている。従来の電動ステープラーにおいては、多数のステープルを収容したカートリッジが装着されるとともに該ステープルを綴じ用紙へ向けて打ち出すようにしたドライバ部と、該ドライバ部から打ち出されて綴じ用紙を貫通したステープルの脚を綴じ用紙の裏面に沿って折り曲げるクリンチャ部とが、独立して各々のユニットとして形成されており、コピーされた綴じ用紙が通過する搬送路を挟んで互いに離反して配置されている。ドライバ部とクリンチャ部間の搬送路に所定枚数の綴じ用紙が配置された後に、クリンチャ部とドライバ部の間で綴じ用紙をクランプさせてドライバ部からクランプされた綴じ用紙に向けてステープルを打ち出し、この後クリンチャ部を作動させて綴じ用紙を貫通したステープルの脚部を綴じ用紙の裏面に沿って屈曲させて綴じ用紙を綴じるようにされている。
【０００３】
上記ドライバ部を形成しているドライバユニットには多数の真直状のステープルを収容したカートリッジがドライバユニットの後方側から着脱できるように装着されておりこのカートリッジの端部に打出通路が形成されている。更にドライバユニットにはこの打出通路に対応して真直状のステープルをコ字形に成形するフォーミングプレートやコ字形に成形されたステープルを打出通路から打ち出すドライバプレートが形成されている。また、クリンチャ部を形成しているクリンチャユニットには綴じ用紙を貫通したステープルと係合してステープル脚を屈曲させるクリンチャ機構が一端側に形成されており、更に、このクリンチャ機構を駆動する駆動機構が後方側に形成されている。上記ドライバユニットとクリンチャユニットはドライバユニットのステープル打出通路とクリンチャユニットのクリンチャ機構とが整合された状態で綴じ用紙の搬送路を挟んで取り付けられている（例えば、特許文献１参照）。
【０００４】
【特許文献１】
特開２００２−４６０８３号公報
【０００５】
【発明が解決しようとする課題】
綴じ用紙に対するステープルの打ち込み方向は印刷された綴じ用紙の印刷面側から打ち込むことが要求されており、コピー機や印刷機又はシート後処理装置における搬送路の設計上と電動ステープラーを設置するスペースの関係から、図４に示すように、従来の電動ステープラー２０では、コピー用紙の搬送路２１の合流部の近傍にステープル綴じ部を形成するためにクリンチャユニット２２のクリンチャ機構２３をこの合流部に接近して配置させ、ドライバユニット２４の打出通路２５を前記クリンチャ機構２３と対向させて綴じ用紙の搬送路２１の下面側に配置されている。このようにドライバユニット２４を搬送路２１の下面側にカートリッジの装着方向が下向きになるように配置されていると、ドライバユニット２４のカートリッジ装着部が下向きになってしまいこの装着部を目視することが困難となり、ステープルの補充を行うためにカートリッジ２６をドライバユニット２４から取り出したり装着する操作が行い難いという問題点がある。
【０００６】
本発明は上記従来技術における問題点を解決して、綴じ用紙の搬送路の下側にドライバユニットを配置した場合であっても、ステーフルの補充のためにカートリッジの着脱操作を容易行うことが可能な電動ステープラーを提供することを課題とする。
【０００７】
【課題を達成するための手段】
上記課題を達成するため本発明の電動ステープラーは、多数のステープルを収容するカートリッジが着脱可能に装着されるとともにカートリッジ内のステープルをカートリッジの先端に形成された打出通路に向けて供給し打出通路に供給されたステープルを綴じ用紙に向けて打ち出すようにしたドライバユニットと、綴じ用紙を貫通したステープルの脚部を綴じ用紙に沿って折り曲げるクリンチャ機構と該クリンチャ機構を駆動させる駆動機構を備えたクリンチャユニットとを分離して形成し、綴じ用紙を搬送する搬送路を挟んでドライバユニットの打出通路とクリンチャユニットのクリンチャ機構とを対向して配置させるとともに、ドライバユニットのカートリッジ装着方向とクリンチャユニットの駆動機構部とをステープルの打出通路を含む平面に対し互いに反対方向に向けて設置させたことを特徴とする。
【０００８】
【発明の実施の形態】
以下、本発明による電動ステープラーの実施の形態を図面に示す実施例に基づいて説明する。電動ステープラー１は図１に示すように、コピーや印刷された綴じ用紙Ｐを搬送する搬送路２内に配置された綴じ用紙Ｐに向けてステープルを打ち出すドライバユニット３と綴じ用紙Ｐを貫通したステープル脚を用紙の裏面に沿って折り曲げるクリンチャユニット４によって構成されている。両ユニット３、４は各々独立されて形成されており、例えばコピー機や印刷機又はシート後処理装置等の内部に形成されているコピーや印刷された用紙の搬送路２を挟んで配置される。各々のユニット３、４はそれぞれのユニット３、４に搭載されている駆動機構５、６によってステープルの打ち出し及び折り曲げの作動が行われる。
【０００９】
搬送路２の下面側に配置されているドライバユニット３には、多数の真直状のステープルを並列して接着したシート状ステープルＳが積層して収容されるカートリッジ７が装着されており、該カートリッジ７の先端に形成されている打出通路８の上面が前記搬送路２に臨まされている。ドライバユニット３にはカートリッジ７に収容されているシート状ステープルＳを前記打出通路８へ供給する供給機構と前記打出通路８へ供給された真直状のステープルＳをコ字形に成形するフォーミングプレート９及び、コ字形に成形されたステープルを前記打出通路８から搬送路２の用紙に向けて打ち出すドライバプレート１０が設けられており、更にこれらの供給機構、フォーミングプレート９及びドライバプレート１０がドライバユニットに形成されている前記駆動機構５によって駆動されるようにされている。
【００１０】
前記カートリッジ７にはシート状ステープルＳを収容する収容部１１が形成されており、この収容部１１にシート状ステープルＳが積層されて収容されている。このカートリッジ７はドライバユニット３に形成されている装着部に対して着脱可能にされており、カートリッジ７に収容したシート状ステープルＳを消費した後に、カートリッジ７をドライバユニット３から取り出して、収容部１１内へシート状ステープルＳを補充して再度ドライバユニット３へ装着するようにしている。カートリッジ７は図中に示している矢印のように前記打出通路８が形成される側と反対の方向へ移動させてドライバユニット３から取り出し、ステープルを補充したカートリッジ７を再びドライバユニット３へ装着する場合には前記矢印方向と逆の方向に移動させて行うようにされている。
【００１１】
一方、クリンチャユニット４には、前記ドライバユニット３の打出通路８からドライバプレート１０によって打ち出されて搬送路２内の綴じ用紙を貫通したステープルの脚部と係合して該ステープル脚を綴じ用紙Ｐの裏面側に沿って折り曲げるクリンチャ機構１２が形成されており、クリンチャユニットに設けられている前記駆動機構６によって作動されるようにされている。前記クリンチャ機構１２はクリンチャユニット４の一端側に形成されており前記駆動機構６が前記一端側から他端側に向けて形成されている。クリンチャユニット４は前記クリンチャ機構１２が前記ドライバユニット３の打出通路８と整合するように且つ前記クリンチャ機構１２の駆動機構６がドライバユニット３に装着されているカートリッジ７の装着方向と反対側に向けられるようにドライバユニット３と対向して配置されている。
【００１２】
図２に示すように、搬送路２内に所定枚数の綴じ用紙Ｐが配置されると、クリンチャユニット４のクリンチャ機構１２が搬送路２内へ進出されて綴じ用紙Ｐをクランプし、続いてドライバユニット３のドライバプレート１０が駆動されて打出通路８内に供給されているステープルを綴じ用紙Ｐに向けて打ち出す。なお、シート状ステープルＳを形成している真直状のステープルは打出通路８に供給される直前でフォーミングプレート９によってコ字形に成形され、コ字形に成形されたステープルが打出通路８内へ供給されている。ドライバプレート１０によって打出通路８から打ち出されて綴じ用紙Ｐを貫通したステープル脚がクリンチャ機構１２によって綴じ用紙Ｐの裏面側に沿って折り曲げられてステープル綴じが完了する。
【００１３】
上記本発明の実施例にかかる電動ステープラー１をコピー機１３に連結されたシート後処理装置１４に搭載した実施例について図３により説明する。このシート後処理装置１４ではコピー用紙をステープル綴じするために傾斜して配置された搬送路１５が形成されており、コピー機１３から排出された用紙をこの傾斜した搬送路１５へ誘導する搬送路１６が搬送路１５の上方向に向けて鋭角となるように合流されて形成されている。コピー機１３から排出されるコピー用紙はコピーの印字面が下向きに搬出されるので搬送路１５の下面側にドライバユニット３が配置されており、コピー用紙の印字面側からステープルを打ち込むようにしている。また、クリンチャユニット４は搬送路１５の上面側に配置されている。
【００１４】
クリンチャユニット４はクリンチャ機構１２が形成されている端部を搬送路１５と搬送路１６の合流部に接近させるとともにクリンチャ機構１２を駆動する駆動機構６が搬送路１５の下流側になるように配置しており、これによってコピー用紙の綴じ位置を搬送路１５の上方に設定することができ、合流部から下流方向の搬送路１５の長さを短縮できるため後処理装置の小型化が可能となる。また、ドライバユニット３は打出通路８が前記クリンチャユニット４のクリンチャ機構１２と対向するように配置され、前記打出通路８と対応して形成されているドライバプレート１０とフォーミングプレート９が搬送路１５の下流側に配置されるとともにカートリッジ７の装着方向がドライバユニット３の上方へ向くように配置されている。
【００１５】
上記のように、搬送路１５の下面側にドライバユニット３を配置した場合でも、ドライバユニット３へのカートリッジ７の装着方向を上方側に向けて配置することができるので、ステープルの補充のためにカートリッジ７の取り出し及び装着の操作が容易に行えるようにできる。また、クリンチャユニット４のクリンチャ機構１２を両搬送路１５、１６の合流部の近傍に配置でき、ステープル綴じ位置を搬送路１５、１６の合流部の近傍に設定することが可能となり、搬送路１５の長さを短くでき電動ホッチキスを収容するシート後処理装置等の機器の小型化が可能となる。
【００１６】
【発明の効果】
上記のように本発明によれば、綴じ用紙を搬送する搬送路を挟んでドライバユニットの打出通路とクリンチャユニットのクリンチャ機構とを対向して配置させ、ドライバユニットのカートリッジの装着方向とクリンチャユニットの駆動機構部とをステープルの打出通路を含む平面に対し反対方向に向けて設置しているので、クリンチャユニットのクリンチャ機構を両搬送路の合流部の近傍に配置させるとともにドライバユニットのカートリッジの装着方向を上方に向けて配置できるので、ステープルの補充操作のためカートリッジをドライバユニットから取り外す操作と、ステープルを補充したカートリッジをドライバユニットへ装着する操作が、シート後処理装置の上方からドライバユニットの装着部を目視しながら行うことが可能となり、ステープルの装填操作を容易に行うことが可能となる。
【図面の簡単な説明】
【図１】本発明の実施例にかかる電動ステープラーの側面図
【図２】ステープル綴じ作動中の図１と同じ電動ステープラーの側面図
【図３】シート後処理装置に搭載した電動ステープラーの実施例を示す側面図
【図４】シート後処理装置に搭載された従来の電動ステープラーの側面図
【符号の説明】
１  電動ステープラー
２  搬送路
３  ドライバユニット
４  クリンチャユニット
５  駆動機構
７  カートリッジ
８  打出通路
１２  クリンチャ機構
１３  コピー機
１４  シート後処理装置
１５  搬送路
１６  搬送路
【図１】
2004306294.tif 000003
【図２】
2004306294.tif 000004
【図３】
2004306294.tif 000005
【図４】
2004306294.tif 000006